(57)【要約】【課題】対象面に積もった雪や異物を效率的にとり除くことが可能な、新規かつ改良された異物積層防止装置を提供すること。【解決手段】本発明の異物積層防止装置は、所定の長さと所定の幅を持つ対象面の長さ方向に沿って配置されるレールユニットと、前記レールユニットの長さ方向に沿って移動可能になるように前記レールユニットの両側に各々配置され、前記レールユニットの両側から末端部まで狭まるように形成されるワイパーを含む除去ユニットと、を含み、前記ワイパーは、前記レールユニットの長さ方向に沿って移動しながら前記対象面に積層された異物を前記対象面の外にとり除くことを特徴とする。【選択図】図１
2018198520.tif 000002
【特許請求の範囲】
【請求項１】
所定の長さと所定の幅を持つ対象面の長さ方向に沿って配置されるレールユニットと、
前記レールユニットの長さ方向に沿って移動可能になるように前記レールユニットの両側に各々配置され、前記レールユニットの両側から末端部まで狭まるように形成されるワイパーを含む除去ユニットと、
を含み、
前記ワイパーは、前記レールユニットの長さ方向に沿って移動しながら前記対象面に積層された異物を前記対象面の外にとり除くことを特徴とする、
異物積層防止装置。
【請求項２】
前記レールユニットの一側に装着され、前記ワイパーが前記レールユニットの長さ方向に沿って移動可能になるように、前記除去ユニット側に駆動力を伝達する駆動伝達ユニットをさらに含むことを特徴とする、
請求項１に記載の異物積層防止装置。
【請求項３】
前記対象面の一側に装着されリアルタイムで前記対象面上に異物積層可否を感知するセンサーと、
前記センサー及び前記除去ユニットと電気的に接続され前記センサーのリアルタイム感知情報を受け前記除去ユニットの前記ワイパーに稼動信号を伝達するコントローラーをさらに含み、
前記レールユニットは、前記対象面の幅方向に沿って複数に平行になるように離間して装着されることを特徴とする、
請求項１又は２に記載の異物積層防止装置。
【請求項４】
前記対象面の一側に装着され前記レールユニットに連結され、前記ワイパーを収容する収納空間部を形成するハウジングをさらに含むことを特徴とする、
請求項１〜３のいずれか一項に記載の異物積層防止装置。
【請求項５】
前記駆動伝達ユニットは、
モーターと、
前記モーターの駆動軸の端部に設置され前記レールユニットの一端部に配置される駆動プーリーと、
前記レールユニットの他端部に配置され回転可能な従動プーリーと、
前記駆動プーリーと前記従動プーリーを相互連結するベルトを含み、
前記ワイパーは、前記ベルトに連結され前記モーターの正回転及び逆回転に連動し前記レールユニットに沿って往復可能なことを特徴とする、
請求項２に記載の異物積層防止装置。
【請求項６】
前記レールユニットは、
前記対象面に配置され、前記対象面の長さ方向に沿って第１レール溝が形成される第１レールバーと、
前記第１レールバーの上部に配置され前記第１レール溝に向かい合う第２レール溝が長さ方向に沿って形成される第２レールバーを含み、
前記ワイパーは、前記第１レールバー及び前記第２レールバーの両側に各々配置され前記第１レールバー及び前記第２レールバーの長さ方向に沿って往復可能なことを特徴とする、
請求項１〜５のいずれか一項に記載の異物積層防止装置。
【請求項７】
前記除去ユニットは、
前記ワイパーの内側端部の縁に形成される連結片と、
前記連結片に結合され、前記レールユニットの長さ方向に沿って往復可能なレールカートをさらに含むことを特徴とする、
請求項１〜６のいずれか一項に記載の異物積層防止装置。
【請求項８】
前記ワイパーは、
前記レールユニットの長さ方向に移動可能になるように前記レールユニットに平行になるように形成される第１フレームと、
前記第１フレームの両端部から各々延長される第２フレームと、
前記第２フレーム各々の末端に連結され、前記第１フレームより短い長さを持つ第３フレームを含むことを特徴とする、
請求項１〜７のいずれか一項に記載の異物積層防止装置。
【請求項９】
前記除去ユニットは、
前記レールユニットの両側と前記ワイパーとの間に配置され、前記ワイパーを前記レールユニットの両側に対し回動可能に結合させるワイパー軸と、
前記ワイパー軸と前記ワイパーとの間に両端部が各々固定され伸縮可能に結合され、前記ワイパーが前記対象面に密着されるように前記ワイパー軸側を向け弾性力を発生させるワイパースプリングをさらに含むことを特徴とする、
請求項１〜８のいずれか一項に記載の異物積層防止装置。
【請求項１０】
前記対象面は、建築物の屋根、太陽光モジュールの集光パネル、建築構造物のガラスの表面、前記建築物の傾いた屋根、傾斜地の人道または前記傾斜地の道路中何れかの一つであることを特徴とする、
請求項１〜９のいずれか一項に記載の異物積層防止装置。
【発明の詳細な説明】
【技術分野】
【０００１】
本発明は、異物積層防止装置に関する。
【背景技術】
【０００２】
太陽光発電は、電力生成の過程から地球温暖化の誘発要因中の一つである温室ガスを排出しないので、騷音や環境破壊などの危険が一切ない既存エネルギー源とは違う清浄エネルギー源である。
【０００３】
そして、太陽光発電は枯渇の心配もないことは勿論、そのほか風力や海水力とは違い太陽光発電設備は、設置が自由で維持費用がチープだという長所を持つが、一番広く使われているシリコーン太陽電池の場合、太陽光モジュールの温度が上がる場合、１℃当たり０．５％の出力減少が発生する。
【０００４】
このような特性により太陽光発電の出力は昼が一番長い夏ではない春と秋に最高値を記録し、このような温度上昇は太陽光発電の発電效率を低下させる主要原因になっている。
【０００５】
また、このような太陽光モジュールは太陽電池板に黄砂、悪天候などの気象現象などによって汚物が積もりやすいという短所を持つ。
【０００６】
太陽光モジュールに汚物が積もる場合、太陽光モジュールは光吸収率がめっきり落ちるので、発電效率も低下される恐れがある。
【０００７】
また、冬季に雨や雪などが太陽電池板に積もる場合、発電效率の低下が発生する恐れがある。
【０００８】
このような汚物、雪、雨などによる発電效率の低下の防止のために太陽光発電設備の效率向上設備（維持設備）が使われる。
【０００９】
前記のような観点で案出されたものとして、特許文献１に記載の「除雪用屋根パンネル」や、特許文献２に記載の「積雪計測センサーと熱風ヒーターが備えられた除雪用太陽光パネル及びそのシステム」などが挙げられる。
【００１０】
上記の特許文献に記載の技術は、太陽光パネルや屋根パネルなどに積もった積雪をヒーターや熱風を利用してとり除くようにしたものである。
【先行技術文献】
【特許文献】
【００１１】
【特許文献１】韓国登録特許第１０−１５７３７９９号公報
【特許文献２】韓国登録特許第１０−１６８０５６６号公報
【発明の概要】
【発明が解決しようとする課題】
【００１２】
しかし、従来の技術では、電気及び熱エネルギー消耗が増大するという問題点がある。
【００１３】
特に、上記の特許文献に記載の技術では、地域的特性による理由で数十センチメートルまたは数メートルに至る降雪量を記録する地域において非常に厚く積もった雪を都度熱エネルギーを利用してとり除くということが経済的な側面及びエネルギー効率の側面について非常に望ましくない。
【００１４】
一方、前述の理由の外にも暴雪地域の家や施設や危険地域などにおける自動的な除雪を通じて人的、物的損失を減少させる自然災害低減技術の開発及びこれによって製作された製品の用意が至急である。
【００１５】
特に、日本における人口２千万人以上の地域全体のおおよそ５０％以上が豪雪地帯であり、このような豪雪地帯で除雪は高齢化社会の深刻化と共に社会的ソリューションが必要な問題として検討されている。
【００１６】
ここに日本政府及び地方自治体は除雪機の購入と維持に補助金を支援しているが、費用や安全性及び使用上の便宜性を満足することができないことに起因して、除雪技術を活性化することが困難であるという実情がある。
【００１７】
また、最近ウェブ基盤でリモートコントロール連動のためにインターネットに繋がれた事物インターネット（ＩｏＴ）製品のような制御機器のソース開発とデバッギングが多くなることも予想されるが、前述のような豪雪地帯の場合、一日最大１メートル以上の雪が積もる過酷な環境で動く除雪機器とレールとモーター及びセンサーの耐久性と耐環境性を確保することがなによりも至急な問題になるだろう。
【００１８】
そこで、本発明は、上記問題に鑑みてなされたものであり、本発明の目的とするところは、対象面に積もった雪や異物を效率的にとり除くことが可能な、新規かつ改良された異物積層防止装置を提供することを目的とする。
【課題を解決するための手段】
【００１９】
上記課題を解決するために、本発明のある観点によれば、所定の長さと所定の幅を持つ対象面の長さ方向に沿って配置されるレールユニットと、前記レールユニットの長さ方向に沿って移動可能になるように前記レールユニットの両側に各々配置され、前記レールユニットの両側から末端部まで狭まるように形成されるワイパーを含む除去ユニットと、を含み、前記ワイパーは、前記レールユニットの長さ方向に沿って移動しながら前記対象面に積層された異物を前記対象面の外にとり除くことを特徴とする異物積層防止装置が提供される。
【００２０】
前記レールユニットの一側に装着され、前記ワイパーが前記レールユニットの長さ方向に沿って移動可能になるように、前記除去ユニット側に駆動力を伝達する駆動伝達ユニットをさらに含むことを特徴としてもよい。
【００２１】
前記対象面の一側に装着されリアルタイムで前記対象面上に異物積層可否を感知するセンサーと、前記センサー及び前記除去ユニットと電気的に接続され前記センサーのリアルタイム感知情報を受け前記除去ユニットの前記ワイパーに稼動信号を伝達するコントローラーをさらに含み、前記レールユニットは、前記対象面の幅方向に沿って複数に平行になるように離間して装着されることを特徴としてもよい。
【００２２】
前記対象面の一側に装着され前記レールユニットに連結され、前記ワイパーを収容する収納空間部を形成するハウジングをさらに含むことを特徴としてもよい。
【００２３】
前記駆動伝達ユニットは、モーターと、前記モーターの駆動軸の端部に設置され前記レールユニットの一端部に配置される駆動プーリーと、前記レールユニットの他端部に配置され回転可能な従動プーリーと、前記駆動プーリーと前記従動プーリーを相互連結するベルトを含み、前記ワイパーは、前記ベルトに連結され前記モーターの正回転及び逆回転に連動し前記レールユニットに沿って往復可能なことを特徴としてもよい。
【００２４】
前記レールユニットは、前記対象面に配置され、前記対象面の長さ方向に沿って第１レール溝が形成された第１レールバーと、前記第１レールバーの上部に配置され前記第１レール溝に向かい合う第２レール溝が長さ方向に沿って形成される第２レールバーを含み、前記ワイパーは、前記第１レールバー及び前記第２レールバーの両側に各々配置され前記第１レールバー及び前記第２レールバーの長さ方向に沿って往復可能なことを特徴としてもよい。
【００２５】
前記除去ユニットは、前記ワイパーの内側端部の縁に形成される連結片と、前記連結片に結合され、前記レールユニットの長さ方向に沿って往復可能なレールカートをさらに含むことを特徴としてもよい。
【００２６】
前記ワイパーは、前記レールユニットの長さ方向に移動可能になるように前記レールユニットに平行になるように形成される第１フレームと、前記第１フレームの両端部から各々延長される第２フレームと、前記第２フレーム各々の末端に連結され、前記第１フレームより短い長さを持つ第３フレームを含むことを特徴としてもよい。
【００２７】
前記除去ユニットは、前記レールユニットの両側と前記ワイパーとの間に配置され、前記ワイパーを前記レールユニットの両側に対し回動可能に結合させるワイパー軸と、前記ワイパー軸と前記ワイパーとの間に両端部が各々固定され伸縮可能に結合され、前記ワイパーが前記対象面に密着されるように前記ワイパー軸側を向け弾性力を発生させるワイパースプリングをさらに含むことを特徴としてもよい。
【００２８】
前記対象面は、建築物の屋根、太陽光モジュールの集光パネル、建築構造物のガラスの表面、前記建築物の傾いた屋根、傾斜地の人道または前記傾斜地の道路中何れかの一つであることを特徴としてもよい。
【発明の効果】
【００２９】
以上説明したように本発明によれば、対象面に積もった雪や異物を效率的にとり除くことができる。
【図面の簡単な説明】
【００３０】
【図１】本発明の一つの実施例に係る異物積層防止装置が対象面に設置された状態を示した斜視図である。
【図２】本発明の一つの実施例に係る異物積層防止装置の全体的な見掛けを示した斜視図である。
【図３】本発明の一つの実施例に係る異物積層防止装置の全体的な構造を示した分解斜視図である。
【図４】図３のＩＶ部分を拡大した部分拡大分解斜視図である。
【図５】図４のＶ視点で見た場合における、本発明の主要部であるレールユニットの一部結合状態を示した斜視図である。
【図６】図３のＶＩ部分を拡大した部分拡大分解斜視図である。
【図７】本発明の主要部であるレールユニットの第１プーリーケース周辺の部品間の結合関係を示した分解斜視図である。
【図８】本発明の一つの実施例に係る異物積層防止装置の主要部である除去ユニットにおけるワイパーがレールユニットに沿って移動可能なレールカートに位置調整可能に結合される様子を示した斜視図である。
【図９】本発明の一つの実施例に係る異物積層防止装置の主要部である除去ユニットにおけるワイパーが繋がれるレールカートがベルトと結合される様子を示した斜視図である。
【図１０】本発明の一つの実施例に係る異物積層防止装置の主要部である除去ユニットにおけるワイパーが繋がれるレールカートの全体的な結合関係を示した分解斜視図である。
【図１１】本発明の一つの実施例に係る異物積層防止装置が対象面に沿って作動することを順に示した平面概念図である。
【図１２】本発明の他の実施例に係る異物積層防止装置の制御システムを模式的に示した斜視概念図である。
【図１３】図２のＸＩＩＩ視点で見た場合における、本発明のまた他の実施例に係る異物積層防止装置の主要部である除去ユニットにおけるワイパーの作動状態を模式的に示した概念図である。
【発明を実施するための形態】
【００３１】
以下に添付図面を参照しながら、本発明の好適な実施の形態としての実施例について詳細に説明する。なお、本明細書及び図面において、実質的に同一の機能構成を有する構成要素については、同一の符号を付することにより重複説明を省略する。
【００３２】
本発明の利点及び特徴、そして、それらを達成する方法は、添付の図面と共に詳細に説明している実施例を参照すれば明確になるだろう。
【００３３】
しかし、本発明は、ここで説明する実施例に限定されず、他の形態に具体化することもできる。
【００３４】
ここで紹介する実施例は、開示された内容を徹底的且つ完全にするために、そして、当業者に本発明の思想を十分に伝達するために提供されるものである。
【００３５】
そして本発明は特許請求の範囲によって定義されるだけである。
【００３６】
したがって、いくつかの実施例において、よく知られた構成要素、よく知られた動作及びよく知られた技術については、本発明が曖昧に解釈されることを避けるために具体的な説明を省略する。
【００３７】
また、明細書全体において、同一の符号は同一の構成要素を指称して、本明細書で使われた（言及された）用語は実施例を説明するためのものであり、本発明を制限しようとするものではない。
【００３８】
本明細書において、単数型は文言により特別に言及しない限り複数型も含み、「含み（または、具備する）」との文言により言及された構成要素及び動作は、一つ以上の他の構成要素及び動作の存在または追加を排除しない。
【００３９】
他の定義がなければ、本明細書で使われるすべての用語（技術及び科学的用語を含む）は本発明の属する技術分野における通常の知識を有する者に共通的に理解できる意味で使われ得る。
【００４０】
また一般的に使われる前もって定義されている用語は、定義されていない限り理想的にまたは過度に解釈されない。
【００４１】
以下、添付の図面を参照して本発明の好ましい実施例に対して説明する。
【００４２】
まず、図１は、本発明の一つの実施例に係る異物積層防止装置が対象面に設置された状態を示した斜視図である。
【００４３】
そして、図２は、本発明の一つの実施例に係る異物積層防止装置の全体的な見掛けを示した斜視図である
【００４４】
そして、図３は、本発明の一つの実施例に係る異物積層防止装置の全体的な構造を示した分解斜視図である。
【００４５】
そして、図４は、図３のＩＶ部分を拡大した部分拡大分解斜視図である。
【００４６】
そして、図５は、図４のＶ視点で見た場合における、本発明の主要部であるレールユニット１００の一部結合状態を示した斜視図である。
【００４７】
そして、図６は、図３のＶＩ部分を拡大した部分拡大分解斜視図である。
【００４８】
そして、図７は、本発明の主要部であるレールユニット１００の第１プーリーケース１３０周辺の部品間の結合関係を示した分解斜視図である。
【００４９】
そして、図８は、本発明の一つの実施例に係る異物積層防止装置の主要部である除去ユニット２００におけるワイパー２０１がレールユニット１００に沿って移動可能なレールカート６００に位置調整可能に結合される様子を示した斜視図である。
【００５０】
そして、図９は、本発明の一つの実施例に係る異物積層防止装置の主要部である除去ユニット２００におけるワイパー２０１が繋がれるレールカート６００がベルト３４０と結合される様子を示した斜視図である。
【００５１】
そして、図１０は、本発明の一つの実施例に係る異物積層防止装置の主要部である除去ユニット２００におけるワイパー２０１が繋がれるレールカート６００の全体的な結合関係を示した分解斜視図である。
【００５２】
そして、図１１は、本発明の一つの実施例に係る異物積層防止装置が対象面４００に沿って作動することを順に示した平面概念図である。
【００５３】
また、図１２は、本発明の他の実施例に係る異物積層防止装置の制御システムを模式的に示した斜視概念図である。
【００５４】
付け加え、図１３は、図２のＸＩＩＩ視点で見た場合における、本発明のまた他の実施例に係る異物積層防止装置の主要部である除去ユニット２００におけるワイパー２０１の作動状態を模式的に示した概念図である。
【００５５】
参照として、図１２の一点鎖線は電気的連結関係を示す。
【００５６】
本発明は、図示のようにレールユニット１００に沿って除去ユニット２００が移動可能に装着される構造であることが把握できる。
【００５７】
まず、レールユニット１００は、所定の長さと所定の幅を持つ対象面４００の長さ方向に沿って、配置されるものであり、後述する除去ユニット２００と一緒に多様な構成部品の装着空間（装着面積）及び移動空間（移動面積）を提供するために用意されたものである。
【００５８】
除去ユニット２００は、レールユニット１００の長さ方向に沿って移動可能になるようにレールユニット１００の両側に各々配置され、対象面４００と連通する除去空間を持ちレールユニット１００の両側から末端部まで狭まるように形成されるワイパー２０１を含むものである。
【００５９】
ここで、ワイパー２０１は、レールユニット１００の長さ方向に沿って移動しながら対象面４００に積層された異物４１０（以下図１１参照）を対象面４００の外にとり除く。
【００６０】
この時、対象面４００は、本発明で示したような太陽光モジュールの集光パネルであることもでき、建築物の屋根、建築構造物のガラスの表面、建築物の傾いた屋根、傾斜地の人道または傾斜地の道路中何れかの一つであることもできる。
【００６１】
したがって、本発明は多様な種類の対象面４００に適用し雪またはその他異物たちを速やかに正確に效率的で效果的にとり除くことができる汎用性を持つ。
【００６２】
本発明は前記のような実施例の適用が可能であり、次のような多様な実施例の適用も可能であることは勿論である。
【００６３】
まず、本発明は、ワイパー２０１がレールユニット１００に沿って移動する時駆動力を伝達するために駆動伝達ユニット３００をさらに具備することもできる。
【００６４】
ここで、駆動伝達ユニット３００は、レールユニット１００の一側に装着され、ワイパー２０１がレールユニット１００の長さ方向に沿って移動可能になるように、除去ユニット２００側に駆動力を伝達するものである。
【００６５】
すなわち、駆動伝達ユニット３００は、ワイパー２０１がレールユニット１００の長さ方向に沿って移動可能になるように、すなわちレールユニット１００に沿った直線運動を可能にさせるリニアアクチュエーター（ｌｉｎｅａｒ  ａｃｔｕａｔｏｒ）の役目を遂行するためのものである。
【００６６】
駆動伝達ユニット３００に関しては後述にてより詳細に説明する。
【００６７】
一方、本発明は異物４１０が対象面４００に積層されていない時や除去ユニット２００が使われない時に、除去ユニット２００を多様な外部衝撃から保護し、前述の駆動伝達ユニット３００のモーター３１０などのような電気機器を保護するようにハウジング５００をさらに具備することもできる。
【００６８】
ハウジング５００は、対象面４００の一側に装着されレールユニット１００に連結され、ワイパー２０１を収容する収納空間部を形成するものである。
【００６９】
よって、前述の駆動伝達ユニット３００の一部は、レールユニット１００の一側に装着されハウジング５００に内蔵され、ワイパー２０１がレールユニット１００の長さ方向に沿って移動可能になるように、除去ユニット２００側に駆動力を伝達する。
【００７０】
ここで、ハウジング５００には、前述の駆動伝達ユニット３００のモーター３１０を収容するモーターケース１５０とともに、後述にて詳細に説明するように、モーター３１０の駆動軸３１１に連結されワイパー２０１に駆動力を伝達する駆動プーリー３２０などの部品を内蔵する空間も提供する。
【００７１】
一方、駆動伝達ユニット３００は、モーター３１０と、モーター３１０の駆動軸３１１（以下図４参照）の端部に設置されレールユニット１００の一端部に配置される駆動プーリー３２０と、レールユニット１００の他端部に配置され回転可能な従動プーリー３３０と、駆動プーリー３２０と従動プーリー３３０を相互連結するベルト３４０とを含むことができる。
【００７２】
ここで、ワイパー２０１は、ベルト３４０に連結されモーター３１０の正方向の回転（正回転）又は逆方向の回転（逆回転）に連動しレールユニット１００に沿って往復可能になる。
【００７３】
一方、レールユニット１００は、図４及び図６を参照すれば、対象面４００に配置され、対象面４００の長さ方向に沿って第１レール溝１１０ｇ（以下図６参照）が形成される第１レールバー１１０と、第１レールバー１１０の上部に配置されて第１レール溝１１０ｇに向かい合う第２レール溝１２０ｇ（以下図６参照）が長さ方向に沿って形成される第２レールバー１２０を含む。
【００７４】
ここで、ワイパー２０１は、第１レールバー１１０及び第２レールバー１２０の両側に各々配置され第１レールバー１１０及び第２レールバー１２０の長さ方向に沿って往復可能である。
【００７５】
この時、第１レールバー１１０は、対象面４００に配置される第１本体片１１１と、第１本体片１１１の両側の縁に沿って延長され互いに向かい合う第１隔片１１２、１１２と、を含み、第１隔片１１２、１１２と第１本体片１１１の上面により第１レール溝１１０ｇが形成されることが分かる。
【００７６】
そして、第２レールバー１２０は、第１レールバー１１０に向かい合う第２本体片１２１と、第２本体片１２１の両側の縁に沿って第１レールバー１１０側で延長され互いに向かい合う第２隔片１２２、１２２と、を含み、第２隔片１２２、１２２と第２本体片１２１の下面により第２レール溝１２０ｇが形成されることが分かる。
【００７７】
また、本発明は、図４及び図６と一緒に図５及び図７を参照すれば、第２レール溝１２０ｇに対応する形象の第１固定突片１３１が上面に形成され、第１レール溝１１０ｇに対応する形象の第３固定突片１３２が下面に形成され、内部に空間が形成され第１レールバー１１０及び第２レールバー１２０の一端部の間に固定される第１プーリーケース１３０をさらに具備することができる。
【００７８】
また、本発明は、第２レール溝１２０ｇに対応する形象の第２固定突片１４１が上面に形成され、第１レール溝１１０ｇに対応する形象の第４固定突片１４２が下面に形成され、内部に空間が形成され第１レールバー１１０及び第２レールバー１２０の他端部の間に固定される第２プーリーケース１４０をさらに具備することもできる。
【００７９】
同時に、本発明は、ワイパー２０１側に駆動力を伝達する駆動伝達ユニット３００のモーター３１０が内蔵できるように、第２プーリーケース１４０の空間に連通される内部空間を形成するモーターケース１５０をさらに具備することもできることは勿論である。
【００８０】
一方、ワイパー２０１は、レールユニット１００の長さ方向に移動可能になるようにレールユニット１００に平行になるように形成される第１フレーム２１０と、第１フレーム２１０の両端部から各々延長される第２フレーム２２０と、第２フレーム２２０各々の末端に連結され、第１フレーム２１０より短い長さを持つ第３フレーム２３０を含む構造であることが把握できる。
【００８１】
同時に、除去ユニット２００は、ワイパー２０１の内側端部の縁に形成される連結片２５０と、連結片２５０に結合され、レールユニット１００の長さ方向に沿って往復可能なレールカート６００をさらに具備することもできる。
【００８２】
ここで、連結片２５０は第１フレーム２１０上に延長形成されることが分かる。
【００８３】
この時、ワイパー２０１は全体的に末端まで狭まるようになる台形のフレーム形象に形成されるようにすることにより、第１フレーム２１０、第２フレーム２２０及び第３フレーム２３０によって台形形象が形成される。
【００８４】
このような台形形象の空間は、当該空間に乗って過ぎて入ってきた雪のような異物４１０を集めて対象面４００の外方へ押し出してとり除きやすくするために設けられたものである。
【００８５】
同時に、ワイパー２０１は全体的に台形フレーム形象に製作されるようにすることにより、自動車のワイパーのように直線または長方形形象であるワイパーと比べ雪のように荷重と体積が大きい異物４１０を対象面４００外に押し出してとり除く時、異物４１０の荷重を、傾くように形成されたワイパー２０１の外方向で分散させてとり除くことによって、ワイパー２０１及び駆動伝達ユニット３００にかかる負荷及びストレスを軽減させることができる。
【００８６】
一方、駆動伝達ユニット３００は、図４を参照すれば、次のようである。
【００８７】
まず、両端が貫通された駆動プーリー３２０は、モーターケース１５０に内蔵されたモーター３１０の駆動軸３１１の端部に装着され第２プーリーケース１４０に内蔵される。
【００８８】
そして、両端が貫通された従動プーリー３３０は、駆動プーリー３２０から駆動力を受け回転し、第１プーリーケース１３０に内蔵される。
【００８９】
また、ベルト３４０は、駆動プーリー３２０と従動プーリー３３０を相互連結するように内周面と外周面を持つリング形象に形成され、第１レール溝１１０ｇと第２レール溝１２０ｇとの間に配置される。
【００９０】
したがって、ワイパー２０１はベルト３４０に繋がれモーター３１０の正方向の回転又は逆方向の回転に連動し第１レール溝１１０ｇ及び第２レール溝１２０ｇとの間の空間に沿って往復することができる。
【００９１】
ここで、駆動伝達ユニット３００は、駆動プーリー３２０及び従動プーリー３３０とベルト３４０がかみ合うように、ベルト３４０の内周面と、駆動プーリー３２０と従動プーリー３３０の外周面に各々形成されるギアの歯３０１をさらに具備することもできることは勿論である。
【００９２】
また、駆動伝達ユニット３００は、モーターケース１５０と第２プーリーケース１４０との間に装着され駆動軸３１１が貫通される支持片３５１を含むモーター支持台３５０をさらに具備することもできる。
【００９３】
そして、駆動伝達ユニット３００は、第１軸結合ホール３２１によって両端が貫通される駆動プーリー３２０の一端部から挿入され第２プーリーケース１４０の一側の内面に固定される第１プーリー駆動軸３６０ａをさらに具備することもできる。
【００９４】
そして、駆動伝達ユニット３００は、駆動プーリー３２０の他端部から挿入され第２プーリーケース１４０の他側の内面に固定される第２プーリー駆動軸３６０ｂをさらに具備することもできる。
【００９５】
そして、駆動伝達ユニット３００は、第１プーリー駆動軸３６０ａの外周面の端部の縁から平たく切断して形成される第１駆動キー段差部３６１と、第２プーリー駆動軸３６０ｂの外周面の端部の縁から平たく切断して形成される第２駆動キー段差部３６２をさらに具備することもできる。
【００９６】
また、駆動伝達ユニット３００は、第１駆動キー段差部３６１及び第２駆動キー段差部３６２と対応する形象で第１軸結合ホール３２１の内周面の両端部を繋ぐように埋められ平たく形成される駆動キー対応リーブをさらに具備することもできる。
【００９７】
駆動キー対応リーブの構造は、図７に図示された後述する従動キー対応リブ３３２の構造と等しいので、これを参照すれば良い。
【００９８】
同時に、駆動伝達ユニット３００は、第２軸結合ホール３３１によって両端が貫通される従動プーリー３３０の一端部から挿入され第１プーリーケース１３０の一側の内面に固定される第１プーリー従動軸３７０ａをさらに具備することもできる。
【００９９】
そして、駆動伝達ユニット３００は、従動プーリー３３０の他端部から挿入され第１プーリーケース１３０の他側の内面に固定される第２プーリー従動軸３７０ｂをさらに具備することもできる。
【０１００】
そして、駆動伝達ユニット３００は、第１プーリー従動軸３７０ａの外周面の端部縁から平たく切断し形成される第１従動キー段差部３７１と、第１プーリー従動軸３７０ａの外周面の端部縁から平たく切断して形成される第２従動キー段差部３７２をさらに具備することもできる。
【０１０１】
また、駆動伝達ユニット３００は、第１従動キー段差部３７１及び第２従動キー段差部３７２と対応する形象で第２軸結合ホール３３１の内周面の両端部を繋ぐように埋められ平たく形成される従動キー対応リブ３３２（以下図７参照）をさらに具備することもできることは勿論である。
【０１０２】
同時に、レールカート６００は、ベルト３４０に固定され、ワイパー２０１に繋がれ第１レール溝１１０ｇ及び第２レール溝１２０ｇとの間の空間に沿って往復することができる。
【０１０３】
このようなレールカート６００は、図８のように連結片２５０の長さ方向に沿って丸１や丸２と対応する位置へ取り付け位置を調整可能に脱着結合されることもできる。
【０１０４】
これは、太陽光モジュールのサイズが製造社別に皆相異なっているので、固定されたレールユニット１００の長さに対応しワイパー２０１及びレールカート６００が固定される位置を変更し多様な太陽光モジュールのサイズに対応し合わせて使うようにするためのことである。
【０１０５】
このようなレールカート６００は、また図６と一緒に図１０を参照してより具体的によく見れば、駆動プーリー３２０と従動プーリー３３０を相互連結し互いに向かい合うベルト３４０の内周面中、第２レール溝１２０ｇに向かい合う内周面に下部が密着固定される上部移動子６１０と、第２レール溝１２０ｇに向かい合う内周面の外側である外周面に上部が密着され上部移動子６１０に固定される下部移動子６２０を含む構造であることが把握できる。
【０１０６】
したがって、ワイパー２０１の連結片２５０は、上部移動子６１０の両側面と脱着可能に結合されることも分かる。
【０１０７】
前述の上部移動子６１０は、ベルト３４０の内周面中、第１レール溝１１０ｇに向かい合う内周面と向かい合う上面を持つ上部移動本体６１３と、上部移動本体６１３の一端部の両側面から各々突き出されワイパー２０１の連結片２５０に繋がれる第１締結ブロック６１１と、上部移動本体６１３の他端部の両側面から各々突き出されワイパー２０１の連結片２５０に繋がれる第２締結ブロック６１２を含む。
【０１０８】
そして、上部移動子６１０は、下部移動子６２０の上面から突き出されたベルト固定ブロック６２２と対応する形象を持ち、上部移動本体６１３の下面から上側に陥没されるブロック固定凹部６１４を具備することもできる。
【０１０９】
同時に、上部移動子６１０は、ワイパー２０１の連結片２５０に連結片２５０の延長方向に沿って複数形成される連通ホール２５１と対応する位置に形成され、別途の締結具（図示せず）によってワイパー２０１を上部移動子６１０に締結させ得るように、第１締結ブロック６１１及び第２締結ブロック６１２の各々の端面に少なくとも一つ以上形成される調整ホール６１５をさらに具備することもできる。
【０１１０】
また、上部移動子６１０は、上部移動本体６１３の下面に突き出されて複数に離間し配置されて、ベルト３４０の外周面に密着される滑り止め用の密着リブ６１６（図１０参照）をさらに具備することもできることは勿論である。
【０１１１】
一方、下部移動子６２０は、第１レール溝１１０ｇに沿って移動可能な下部移動本体６２１と、下部移動本体６２１の上面中央から突き出されて形成されて、ベルト３４０を密着させて、上部移動子６１０の下面に陥没されて形成されたブロック固定凹部６１４に安着固定されるようにするベルト固定ブロック６２２を含むことができる。
【０１１２】
そして、下部移動子６２０は、下部移動本体６２１の両側の縁に沿ってベルト固定ブロック６２２の下端部まで突き出され、ベルト３４０の離脱を防止しながら安着固定されるようにするベルトガイドリブ６２３を具備することもできる。
【０１１３】
前記のようにワイパー２０１は普段には図１１（ａ）のようにハウジング５００に収容された状態を維持してから、雪のような異物４１０の積層が感知されれば、図１１（ｂ）のようにハウジング５００からレールユニット１００に沿って移動しながら図１１（ｃ）のように異物４１０を対象面４００の外に押し出してとり除く作業を遂行することができるようになる。
【０１１４】
ここで、本発明は場合によってハウジング５００の一側に点灯可能なＲＧＢエルイーディーチップを含んだエルイーディーランプモジュール（図示せず）を追加的に装着することもできる。
【０１１５】
前述のエルイーディーランプモジュールはワイパー２０１が駆動中の場合青色光を点滅して作動中であることを視覚的に認知できるようにし、除雪作業が完了しワイパー２０１がハウジング５００に入ってきている場合、赤色光を点滅しながら除雪作業の完了及び装置全体のＯＦＦ状態の突入を視覚的に認知できるようにする変形及び応用設計も可能であることは勿論である。
【０１１６】
一方、本発明は図１２のように、対象面４００の一側に装着されリアルタイムで対象面４００上に異物４１０の積層可否（異物積層可否）を感知するセンサー７００と、センサー７００及び除去ユニット２００と電気的に接続されセンサー７００のリアルタイム感知情報を受け除去ユニット２００のワイパー２０１に稼動信号を伝達するコントローラー８００をさらに具備することもできる。
【０１１７】
ここで、レールユニット１００は図示のように対象面４００の幅方向に沿って複数に平行になるように離間して装着されることにより、大面積の対象面４００にも本発明に係る異物積層防止装置を利用し異物の除去作業を遂行し得る。
【０１１８】
この時、コントローラー８００は、複数に配置されるレールユニット１００中、コントローラー８００に一番近くに配置されたレールユニット１００に装着されたワイパー２０１に最初に稼動信号を伝達する。
【０１１９】
複数に配置されたレールユニット１００は互いに電気的に繋がれ、最初に稼動信号を受けたワイパー２０１（以下第１ワイパー２０１ａ）の動作以後、コントローラー８００に一番近くに配置されたレールユニット１００と隣り合うレールユニット１００に装着されたワイパー２０１（以下第２ワイパー２０１ｂ）は、第１ワイパー２０１ａの作動の後順に作動を開始する。
【０１２０】
言い換えればセンサー７００を通じ異物４１０の積層感知信号をコントローラー８００が受ければ、コントローラー８００は第１ワイパー２０１ａに駆動信号を伝達する自動システムを具現することができる。
【０１２１】
場合によって異物４１０の感知用のセンサー７００の裏にはヒーター（図示せず）を具備することもできる。
【０１２２】
前述のヒーターは、センサー７００の表面に積層された雪のような異物４１０をとかすことにより、とけて蒸発した雪が消えるまで第１ワイパー２０１ａはもちろん第２ワイパー２０１ｂ及び残りのワイパー２０１を駆動可能にする役目を遂行し、一応センサー７００の表面の雪が消えれば、各ワイパー２０１の駆動を止めるようにする稼動止まり信号をコントローラー８００が除去ユニット２００に伝達可能にする役目を遂行する。
【０１２３】
すなわち、ワイパー２０１の移動によって異物４１０をとり除く作業は最小で一ストローク（ｓｔｒｏｋｅ）位、言い換えればレールユニット１００に沿って最小一回往復する位で十分なので、この時間の間ヒーターはセンサー７００表面の雪をとかし蒸発されるようにする。
【０１２４】
したがって、ヒーターは、センサー７００の表面の雪をとかし無くすことにより、次にまた雪が降るまで正常なセンサー７００の動作の準備をするための状態を用意するための技術的手段と言える。
【０１２５】
同時に、本発明は単一のコントローラー８００のみ具備することにより、ワイパー２０１の駆動信号が、一番近い第１ワイパー２０１ａが装着されたシステム、すなわちコントローラー８００に一番近いレールユニット１００（以下第１レールユニット１００ａ）側にだけ伝達された場合、信号を受けた第１レールユニット１００ａは、第１レールユニット１００ａと隣り合うレールユニット１００（以下第２レールユニット１００ｂ）に同時に第２ワイパー２０１ｂの駆動信号を伝達し得る。
【０１２６】
このような順次な駆動信号の伝達は、対象面４００が太陽光発電所の集光パネルの場合、発電所内の除雪システムの通信線設備の量を減らすことができるという点で非常に效率的である。
【０１２７】
また、コントローラー８００はインターネットまたは受動制御ボタンを通じ前述したセンサー７００とは別に第１ワイパー２０１ａを駆動させることができる。
【０１２８】
同時に、第１ワイパー２０１ａ及び第２ワイパー２０１ｂの駆動は発電所周辺に設置されたＣＣカメラに通信可能なネットワークまたはインターネットを通じ管理者のＰＣやスマートフォンのようなポータブル端末（図示せず）によりリアルタイムで確認することができることも勿論である。
【０１２９】
一方、本発明は対象面４００上の異物の除去がより確実にきれいに成り立つように、図１３のような除去ユニット２００の実施例を適用することもできることは勿論である。
【０１３０】
まず、除去ユニット２００は図示のようにレールユニット１００の両側とワイパー２０１との間に配置されるワイパー軸２４０によってワイパー２０１をレールユニット１００の両側に対し回動可能に結合させることができる。
【０１３１】
ここで、ワイパー２０１はワイパー軸２４０に回動ブラケット２７０により回動可能に繋がれることができる。
【０１３２】
この時、除去ユニット２００はワイパー軸２４０とワイパー２０１との間に各々両端部が固定され伸縮可能に結合されるワイパースプリング２８０によってワイパー２０１が対象面４００に密着されるようにできる。
【０１３３】
すなわち、ワイパースプリング２８０は、ワイパー２０１が対象面４００に密着されるようにワイパー軸２４０側を向け収縮される弾性力を発生させるようになる。
【０１３４】
したがって、ワイパー２０１は前述の収縮される弾性力によってワイパー軸２４０を基準に回動し対象面４００側で降りるようになるものである。
【０１３５】
言い換えれば、前述のようなワイパー軸２４０及びワイパースプリング２８０を備える構造は、対象面４００中、集光パネルのような表面に垂直抗力を付与するためのものである。
【０１３６】
ワイパー２０１が対象面４００に対し垂直抗力を付与しないままレールユニット１００に沿って単純に往復さえすれば、ワイパー２０１と対象面４００との間に形成され得る隙間を通じ雪のような異物が漏れるようになって異物の除去效果が低下し得る。
【０１３７】
特に、雪が凍って氷になってしまった場合、このような氷のような異物や小さな氷晶とワイパー２０１とが接触すれば、対象面４００に対する垂直抗力がない場合には、ワイパー２０１が前述のような性質を持つ異物をそのまま滑って乗って移ってしまうから垂直抗力を人為的に生じさせ得る構造が必要となる。
【０１３８】
したがって、図１３のようなワイパー軸２４０及びワイパースプリング２８０を備える構造は、ワイパー２０１によるこのような垂直抗力を対象面４００に人為的に付与することにより、前述の隙間を通じて異物が漏れることを基本的に遮断し、異物を対象面４００からより確実にきれいにとり除くことができる。
【０１３９】
以上のように本発明は多様な種類の対象面に積もった雪や異物を效率的にとり除くようにする異物積層防止装置を提供することを基本的な技術的思想にしていることが分かる。
【０１４０】
具体的には、本発明によれば、次のような效果を図ることができる。
【０１４１】
まず、本発明は所定の長さと所定の幅を持つ対象面の長さ方向に沿って配置されるレールユニットと、前記レールユニットの長さ方向に沿って移動可能になるように前記レールユニットの両側に各々配置され、前記レールユニットの両側から末端部まで狭まるように形成されるワイパーを含む除去ユニットと、を含む構成を採択することにより、建築物の屋根、太陽光モジュールの集光パネル、建築構造物のガラスの表面、前記建築物の傾いた屋根、傾斜地の人道または前記傾斜地の道路などのような多様な種類の対象面に積もった雪や異物を正確に效率的にとり除くことができる。
【０１４２】
また、本発明によれば、上記で説明した種々の構成を有することによって、さらに次のような效果を図ることができる。
【０１４３】
本発明において、前記レールユニットの一側に装着され、前記ワイパーが前記レールユニットの長さ方向に沿って移動可能になるように、前記除去ユニット側に駆動力を伝達する駆動伝達ユニットをさらに具備することにより、単にモーターの駆動だけでも積雪はもちろん多様な積層異物を速やかにはっきりと效率的にとり除くことができるようになる。
【０１４４】
本発明において、前記レールユニットを前記対象面の幅方向に沿って複数に平行になるように離間して装着させ、前記対象面の一側に装着されリアルタイムで前記対象面上に異物積層可否を感知するセンサーと、前記センサー及び前記除去ユニットと電気的に接続され前記センサーのリアルタイム感知情報を受け前記除去ユニットの前記ワイパーに稼動信号を伝達するコントローラーをさらに具備することにより、大面積の対象面への異物の積層をリアルタイムで把握し速やかに正確に效率的にとり除くことができるようになる。
【０１４５】
本発明において、前記ワイパーを、前記レールユニットの長さ方向に移動可能になるように前記レールユニットに平行になるように形成される第１フレームと、前記第１フレームの両端部から各々延長される第２フレームと、前記第２フレーム各々の末端に連結され、前記第１フレームより短い長さを持つ第３フレームを含む構造、すなわち全体的に末端まで狭まるようになる台形形象の空間を持つ台形のフレーム形象に形成されるようにすることにより、当該空間に乗り過ぎて入ってきた雪のような異物を集めて対象面の外方へ押し出して易しくとり除くことができる。
【０１４６】
さらに、ワイパーの全体的な台形フレーム形象は、雪のように荷重と体積が大きい異物を対象面の外に押し出してとり除く時、異物の荷重を傾くように形成されたワイパーの外方に分散させてとり除くことによって、ワイパー及び駆動伝達ユニットにかかる負荷及びストレスを軽減させることができるようになる。
【０１４７】
本発明において、ワイパーをレールユニットの両側に対してワイパー軸を基準に回動可能に結合させ、ワイパー軸とワイパーとを相互連結するワイパースプリングを具備することによって、ワイパーが対象面に密着したまま往復し、対象面に積もった雪のような異物をきれいに対象面外にとり除くことができるようになる。
【０１４８】
特に、本発明は高齢化の深刻化又は進行中にある豪雪地帯の各種施設に積もった雪のような異物の除去作業に投入される労動力を極小化することにより、該当地域の居住民たちに便宜を提供することができるようになる。
【０１４９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１５０】
１００  レールユニット
１１０  第１レールバー
１２０  第２レールバー
２００  除去ユニット
２０１  ワイパー
２１０  第１フレーム
２２０  第２フレーム
２３０  第３フレーム
２４０  ワイパー軸
２５０  連結片
２８０  ワイパースプリング
３００  駆動伝達ユニット
３１０  モーター
３２０  駆動プーリー
３３０  従動プーリー
３４０  ベルト
４００  対象面
５００  ハウジング
６００  レールカート
７００  センサー
８００  コントローラー
【図１】
2018198520.tif 000003
【図２】
2018198520.tif 000004
【図３】
2018198520.tif 000005
【図４】
2018198520.tif 000006
【図５】
2018198520.tif 000007
【図６】
2018198520.tif 000008
【図７】
2018198520.tif 000009
【図８】
2018198520.tif 000010
【図９】
2018198520.tif 000011
【図１０】
2018198520.tif 000012
【図１１】
2018198520.tif 000013
【図１２】
2018198520.tif 000014
【図１３】
2018198520.tif 000015
【手続補正書】
【提出日】平成29年9月11日(2017.9.11)
【手続補正１】
【補正対象書類名】特許請求の範囲
【補正対象項目名】全文
【補正方法】変更
【補正の内容】
【特許請求の範囲】
【請求項１】
所定の長さと所定の幅を持つ対象面の長さ方向に沿って配置されるレールユニットと、
前記レールユニットの長さ方向に沿って移動可能になるように前記レールユニットの両側に各々配置されるワイパーを含み、前記ワイパーは前記レールユニットの両側から末端部まで狭まるように形成される除去ユニットと、
を含み、
前記レールユニットは、
前記対象面に配置され、前記対象面の長さ方向に沿って第１レール溝が形成される第１レールバーと、
前記第１レールバーの上部に配置され前記第１レール溝に向かい合う第２レール溝が長さ方向に沿って形成される第２レールバーを含み、
前記ワイパーは、前記第１レールバー及び前記第２レールバーの両側に各々配置され前記第１レールバー及び前記第２レールバーの長さ方向に沿って往復可能であり、前記レールユニットの長さ方向に沿って移動しながら前記対象面に積層された異物を前記対象面の外にとり除くことを特徴とする、
異物積層防止装置。
【請求項２】
前記レールユニットの一側に装着され、前記ワイパーが前記レールユニットの長さ方向に沿って移動可能になるように、前記除去ユニット側に駆動力を伝達する駆動伝達ユニットをさらに含むことを特徴とする、
請求項１に記載の異物積層防止装置。
【請求項３】
前記対象面の一側に装着されリアルタイムで前記対象面上に異物積層可否を感知するセンサーと、
前記センサー及び前記除去ユニットと電気的に接続され前記センサーのリアルタイム感知情報を受け前記除去ユニットの前記ワイパーに稼動信号を伝達するコントローラーをさらに含み、
前記レールユニットは、前記対象面の幅方向に沿って複数に平行になるように離間して装着されることを特徴とする、
請求項１又は２に記載の異物積層防止装置。
【請求項４】
前記対象面の一側に装着され前記レールユニットに連結され、前記ワイパーを収容する収納空間部を形成するハウジングをさらに含むことを特徴とする、
請求項１〜３のいずれか一項に記載の異物積層防止装置。
【請求項５】
前記駆動伝達ユニットは、
モーターと、
前記モーターの駆動軸の端部に設置され前記レールユニットの一端部に配置される駆動プーリーと、
前記レールユニットの他端部に配置され回転可能な従動プーリーと、
前記駆動プーリーと前記従動プーリーを相互連結するベルトを含み、
前記ワイパーは、前記ベルトに連結され前記モーターの正回転及び逆回転に連動し前記レールユニットに沿って往復可能なことを特徴とする、
請求項２に記載の異物積層防止装置。
【請求項６】
前記除去ユニットは、
前記ワイパーの内側端部の縁に形成される連結片と、
前記連結片に結合され、前記レールユニットの長さ方向に沿って往復可能なレールカートをさらに含むことを特徴とする、
請求項１〜５のいずれか一項に記載の異物積層防止装置。
【請求項７】
前記ワイパーは、
前記レールユニットの長さ方向に移動可能になるように前記レールユニットに平行になるように形成される第１フレームと、
前記第１フレームの両端部から各々延長される第２フレームと、
前記第２フレーム各々の末端に連結され、前記第１フレームより短い長さを持つ第３フレームを含むことを特徴とする、
請求項１〜６のいずれか一項に記載の異物積層防止装置。
【請求項８】
前記除去ユニットは、
前記レールユニットの両側と前記ワイパーとの間に配置され、前記ワイパーを前記レールユニットの両側に対し回動可能に結合させるワイパー軸と、
前記ワイパー軸と前記ワイパーとの間に両端部が各々固定され伸縮可能に結合され、前記ワイパーが前記対象面に密着されるように前記ワイパー軸側を向け弾性力を発生させるワイパースプリングをさらに含むことを特徴とする、
請求項１〜７のいずれか一項に記載の異物積層防止装置。
【請求項９】
前記対象面は、建築物の屋根、太陽光モジュールの集光パネル、建築構造物のガラスの表面、前記建築物の傾いた屋根、傾斜地の人道または前記傾斜地の道路中何れかの一つであることを特徴とする、
請求項１〜８のいずれか一項に記載の異物積層防止装置。